(57)【特許請求の範囲】
【請求項１】
ＣＭ連動放送装置と、公開Ｗｅｂサイトと、サーバ装置とを備えるＣＭ連動放送システムであって、
前記ＣＭ連動放送装置は、
ＣＭデータと本編データとを含む素材データを作成する素材データ作成手段と、
前記素材データ中の前記ＣＭデータからＣＭコードを抽出するＣＭコード抽出手段と、
抽出されたＣＭコードを含むメッセージデータを作成するメッセージデータ作成手段と、
前記素材データを放送データとして放送する放送手段と、
前記メッセージデータをインターネット上の公開Ｗｅｂサイトへ通知する通知手段と、を備え、
前記公開Ｗｅｂサイトは、受信したメッセージデータに含まれるＣＭコードに対応するＣＭデータが前記ＣＭ連動放送装置により放送されているときに、当該メッセージデータを表示し、
前記サーバ装置は、
ユニークＩＤと、当該ユニークＩＤに対応するメールアドレスとを記憶する登録ユーザデータベースと、
ＣＭコードに対応するＣＭ連動データを記憶するＣＭ連動データ記憶手段と、
前記メッセージデータを受信した公開Ｗｅｂサイトを表示している端末装置から、ユニークＩＤ及び前記メッセージデータに含まれるＣＭコードを含むＣＭ連動メール要求を受信する受信手段と、
ＣＭ連動メール要求に含まれるＣＭコードに対応するＣＭ連動データを前記ＣＭ連動データ記憶手段から取得し、ＣＭ連動メール要求に含まれるユニークＩＤに対応するメールアドレスに対し、取得したＣＭ連動データを含む電子メールを送信する電子メール送信手段と、を備えることを特徴とするＣＭ連動放送システム。
【発明の詳細な説明】
【技術分野】
【０００１】
本発明は、ＴＶ放送中のＣＭ（コマーシャル、番組宣伝やイベント告知等も含む）に関連する情報を視聴者に提供するシステムに関する。
【背景技術】
【０００２】
ＴＶ放送の視聴中に、視聴者が番組内容又は番組の間に放送されるＣＭに関連する情報を取得したいと考える場合がある。例えば、番組中に登場した商品や店舗などに関する情報を、番組の放送とは別に電子メールなどにより取得できれば便利である。
【０００３】
特許文献１に記載のシステムでは、放送局が放送番組に対応するデータ放送として、番組内容の問い合わせ先ＵＲＬ、ＣＭの広告主のＵＲＬなど、放送内容やＣＭに関連する情報を放送する。視聴者宅の受信装置は、この情報を受信する。視聴者が受信装置に対して指示を行うと、受信装置は通信機能を利用して視聴者端末へ電子メールなどの形態で送信する。視聴者は、自己の視聴者端末を操作して、番組に関する情報を閲覧、利用することができる。
【０００４】
なお、デジタル放送にＣＭデータを重畳する手法について特許文献２に記載がある。
【０００５】
【特許文献１】特開２００５−２０６６２
【特許文献２】特開２００６−３３２７６８
【発明の開示】
【発明が解決しようとする課題】
【０００６】
特許文献１のシステムでは、視聴者が電子メールによって視聴者端末へ送信しない情報も一時的に内部の記憶装置へ記憶する必要がある。このような手法は、特にいわゆるワンセグ携帯電話などの携帯型端末装置の場合は、内部の記憶装置が有する記憶容量の点から必ずしも適切な方法とは言えない。
【０００７】
本発明は、ＴＶ放送の視聴機能を有する端末装置を利用して、視聴者が必要とする関連情報のみを容易に取得できるシステムを提供することを課題とする。
【課題を解決するための手段】
【０００８】
本発明の１つの観点は、ＣＭ連動放送装置と、公開Ｗｅｂサイトと、サーバ装置とを備えるＣＭ連動放送システムであって、前記ＣＭ連動放送装置は、ＣＭデータと本編データとを含む素材データを作成する素材データ作成手段と、前記素材データ中の前記ＣＭデータからＣＭコードを抽出するＣＭコード抽出手段と、抽出されたＣＭコードを含むメッセージデータを作成するメッセージデータ作成手段と、前記素材データを放送データとして放送する放送手段と、前記メッセージデータをインターネット上の公開Ｗｅｂサイトへ通知する通知手段と、を備え、前記公開Ｗｅｂサイトは、受信したメッセージデータに含まれるＣＭコードに対応するＣＭデータが前記ＣＭ連動放送装置により放送されているときに、当該メッセージデータを表示し、前記サーバ装置は、ユニークＩＤと、当該ユニークＩＤに対応するメールアドレスとを記憶する登録ユーザデータベースと、ＣＭコードに対応するＣＭ連動データを記憶するＣＭ連動データ記憶手段と、前記メッセージデータを受信した公開Ｗｅｂサイトを表示している端末装置から、ユニークＩＤ及び前記メッセージデータに含まれるＣＭコードを含むＣＭ連動メール要求を受信する受信手段と、ＣＭ連動メール要求に含まれるＣＭコードに対応するＣＭ連動データを前記ＣＭ連動データ記憶手段から取得し、ＣＭ連動メール要求に含まれるユニークＩＤに対応するメールアドレスに対し、取得したＣＭ連動データを含む電子メールを送信する電子メール送信手段と、を備える。
【００１９】
上記のＣＭ連動放送システムでは、サーバ装置は、前記メッセージデータを受信した公開Ｗｅｂサイトを表示している端末装置から、ユニークＩＤ及び前記メッセージデータに含まれるＣＭコードを含むＣＭ連動メール要求を受信する。そして、サーバ装置は、ＣＭ連動メール要求に含まれるユニークＩＤに対応するメールアドレスへ、ＣＭ連動データを含む電子メールを送信する。こうして、ユーザは、ＴＶ放送中のＣＭに関連する情報を電子メールとして受け取ることができる。
【発明を実施するための最良の形態】
【００２０】
以下、図面を参照して本発明を実施するための最良の形態について説明する。
【００２１】
［第１実施形態］
図１は、本発明を適用したＣＭ連動放送システムの概略構成を示す。図１において、本発明によるＣＭ連動放送システムは、主として放送局とＣＭ連動情報提供サーバ（以下、単に「情報提供サーバ」と呼ぶ。）により構成され、ユーザ環境に対してＣＭ連動データを提供する。なお、ＣＭ連動データとは、詳細は後述するが、ＴＶ放送中のＣＭに関連して予め用意された情報であり、例えばＣＭの広告主、問い合わせ先ＵＲＬなどを含む。
【００２２】
まず、本実施形態によるＣＭ連動データの提供方法の概略について説明する。
【００２３】
放送局には、ＣＭ連動放送装置１００が設けられる。ＣＭ連動放送装置１００は、ＴＶ放送データ４００に基づいてＴＶ放送を行う。詳細は後述するが、このＴＶ放送データ４００はデータ放送を含む。
【００２４】
ユーザ環境において、ユーザは携帯端末２００によりＴＶ放送を受信し、視聴する。携帯端末２００の典型的な例はワンセグ携帯電話である。ユーザが携帯端末２００を利用してＴＶ放送中のＣＭを視聴している際、そのＣＭについてＣＭ連動データが用意されている場合、携帯端末２００にはＣＭ連動データが存在することを示すメッセージが表示される。ユーザは、ＣＭ連動データを取得したい場合、携帯端末２００を操作する。これに応答して、携帯端末２００はインターネットを介して情報提供サーバのサーバ装置３００へＣＭ連動メール要求４１０を送信する。
【００２５】
サーバ装置３００は登録ユーザＤＢ３１０に接続されている。登録ユーザＤＢ３１０は、予め本システムに登録したユーザの情報を記憶しており、特に、各登録ユーザのメールアドレスを記憶している。サーバ装置３００は、携帯端末２００からＣＭ連動メール要求４１０を受信すると、インターネットを介して要求元ユーザのメールアドレスへＣＭ連動メール４２０を送信する。携帯端末２００のメールアドレスを登録しておけば、ユーザは携帯端末２００によりＣＭ連動メールを受信することができる。ＣＭ連動メールは、予め用意されたＣＭ連動データを含んでいる。よって、ユーザは、受信したＣＭ連動メールを開くことにより、ＣＭに関連する情報を見ることができる。
【００２６】
次に、ＣＭ連動放送システムの各要素について詳細に説明する。
【００２７】
図２は、ＣＭ連動放送装置１００の構成を示す。ＣＭ連動放送装置１００は、放送内容の素材データを記憶する記憶装置として、ＣＭ素材データ記憶装置１１０と、本編データ記憶装置１１２とを備える。
【００２８】
本編データ記憶装置１１２は、ＴＶ放送される番組本編のデータ（以下、「本編データ」と呼ぶ。）を記憶する。本編データは、例えば、スタジオで作成された生の映像・音声、テープに記録された映像・音声、番組バンクに保存されている映像・音声などを含む。本編データ記憶部１１２は、本編データ１５２をスイッチャー１１４へ供給する。
【００２９】
ＣＭ素材データ記憶装置１１０は、ＣＭ素材データを記憶する。ＣＭ素材データは、番組の間に挿入されるＣＭの映像・音声データを記憶する。ここで、各ＣＭ素材データには、ＣＭコードが含まれている。ＣＭコードとは、各ＣＭ素材データを一意に特定する識別コードである。なお、一例としては、ＣＭコードは、ＣＭ素材データのＳＤＩ信号のＶ−ＡＮＣ領域に埋め込むことができる。ＣＭ素材データ記憶装置１１０は、ＣＭ素材データ１５０をスイッチャー１１４へ供給する。
【００３０】
スイッチャー１１４は、本編データ１５２とＣＭ素材データ１５０を切り替え、本編データ１５２の間にＣＭ素材データ１５０が挿入されたデータ（以下、「素材データ」と呼ぶ。）１５４を生成し、映像エンコーダ１１６及びＣＭコード抽出装置１２０へ供給する。
【００３１】
映像エンコーダ１１６は、素材データをエンコードし、マルチプレクサ１１８へ供給する。
【００３２】
ＣＭコード抽出装置１２０は、素材データ１５４中のＣＭ素材データ１５０を抽出し、そのＣＭ素材データ１５０に含まれるＣＭコード１５６を抽出してＥＭ（イベントメッセージ）送出装置１２４へ供給する。
【００３３】
ＥＭ送出装置１２４は、ＣＭ連動データＤＢ１２２にアクセスし、ＣＭコード抽出装置１２０が抽出したＣＭコード１５６に対応するＣＭ連動データ１６０を取得する。ＣＭ連動データＤＢ１２２の記憶内容の例を図３（ａ）に示す。ＣＭ連動データＤＢ１２２は、ＣＭコード毎に、対応するＣＭ連動データを記憶している。ＣＭ連動データは、各ＣＭコードに対応するＣＭに関連するデータ、例えばタイトル、広告主、問い合わせ先のＵＲＬ及び電話番号などの情報を含む。
【００３４】
ＥＭ送出装置１２４は、ＣＭ連動データＤＢ１２２からＣＭコードに対応するＣＭ連動データ１６０を取得し、そのＣＭ連動データ１６０を含むイベントメッセージ（以下、単に「ＥＭ」と表記する）１５８を作成する。図３（ｂ）はＥＭ１５８のデータ構造例を概略的に示す。ＥＭ１５８は、ヘッダ部分とデータ部分とを有し、データ部分は、汎用のＥＭデータと、ＣＭ連動データとを含む。そして、ＥＭ送出装置１２４は、作成したＥＭ１５８をマルチプレクサ１１８へ供給する。なお、ＣＭ連動データは、実際には汎用ＥＭのプライベートデータバイト領域に挿入することができる。
【００３５】
データ放送装置１３０は、ＴＶ放送に含めて放送されるデータ放送コンテンツ１７０を作成し、マルチプレクサ１１８へ供給する。データ放送コンテンツ１７０は、本編に対応するコンテンツと、ＣＭに対応するコンテンツとを含む。本編に対応するコンテンツは、番組本編に関連する情報としてもよく、番組本編とは無関係な情報としてもよい。また、ＣＭに関連するコンテンツは、そのＣＭに関連する情報とすることができる。
【００３６】
マルチプレクサ１１８は、映像エンコーダ１１６から供給されるエンコード済みの素材データ１５４、ＥＭ送出装置１２４から供給されるＥＭ１５８、及び、データ放送装置１３０から供給されるデータ放送コンテンツ１７０を多重化し、データ放送を含むＴＶ放送を行う。従って、このＴＶ放送では、番組の合間にＣＭが挿入されており、ＣＭ放送中のデータ放送には、そのＣＭに対応するＣＭ連動データを含むＥＭ１５８が含まれていることになる。特に、ＥＭ送出装置１２４は、ＣＭコードを受け取ると直ちに（即時）ＥＭ１５８を作成するので、ユーザが視聴するＴＶ放送においては、ＥＭ１５８は対応するＣＭと時間的に同期して送信される。つまり、ユーザは、ＣＭを視聴している間に、そのＣＭに関連するＣＭ連動データがあることを示すＥＭ１５８を受信することができる。
【００３７】
次に、ユーザ環境について説明する。
【００３８】
図１に戻り、ユーザは、携帯端末２００を用いてＴＶ放送を受信、視聴する。ここで、携帯端末２００は、ＴＶ放送に含まれる上記のＥＭ１５８を受信すると、ＥＭ１５８を受信した旨を示すメッセージを表示するなどしてユーザに告知する。なお、この告知は、音声の出力を伴ってもよい。
【００３９】
ＴＶ放送受信中の携帯端末２００の表示画面例を図５に示す。図５（ａ）は、本編映像受信中の表示画面例であり、表示部の上部に本編映像が表示されており、下部にはデータ放送コンテンツが表示されている。この状態で、放送内容が本編からＣＭに切り替わり、そのＣＭに対応するＥＭを受信すると、図５（ｂ）に示すように、端末装置２００は表示部にＥＭを受信したことを示すメッセージ２０２を表示する。このメッセージ２０２は、現在受信中のＣＭに関連するＣＭ連動データが存在することを示している。
【００４０】
ユーザがそのＣＭに興味を示し、携帯端末２００の操作ボタンなどを操作して指示すると、端末装置２００は、図１に示すように情報提供サーバのサーバ装置３００へ、そのＣＭに対応するＣＭ連動メール要求を送信する。端末装置２００は、図５（ｃ）に示すように、ＣＭ連動メールの要求中であることを示すメッセージ２０３を表示する。なお、ＣＭ連動メール要求４１０は、実際には例えばインターネット上でＨＴＴＰプロトコルを利用して送信することができる。
【００４１】
携帯端末２００は、内部にユーザＩＤを記憶している。なお、このユーザＩＤは本発明におけるユニークＩＤの一例である。ＥＭ１５８を受信したユーザがボタン操作などにより、ＣＭ連動メールを要求する指示を入力すると、携帯端末２００は、ＥＭ１５８に含まれるＣＭ連動データと、内部に記憶しているユーザＩＤとを用いて、図４（ｂ）に例示するようなデータ構造のＣＭ連動メール要求４１０を生成し、サーバ装置３００へ送信する。
【００４２】
次に、情報提供サーバについて説明する。
【００４３】
サーバ装置３００は、ＣＭ連動放送システムの登録ユーザに関する情報を記憶する登録ユーザＤＢ３１０に接続されている。登録ユーザＤＢ３１０の記憶内容例を図４（ａ）に示す。登録ユーザＤＢ３１０は、登録ユーザのユーザＩＤ毎に、当該ユーザの登録メールアドレスを記憶している。サーバ装置３００は、ＣＭ連動メール要求４１０を受信し、それに含まれるユーザＩＤに対応する登録メールアドレスを登録ユーザＤＢ３１０から取得する。そして、サーバ装置３００は、受信したＣＭ連動メール要求４１０に含まれるＣＭ連動データを含むＣＭ連動メール４２０を作成し、図１に示すようにユーザの携帯端末２００へ送信する。ＣＭ連動メール４２０のデータ構造例を図４（ｃ）に示す。ヘッダ部分には、送信先の登録メールアドレスが含まれている。
【００４４】
ユーザの携帯端末２００は、サーバ装置３００からＣＭ連動メール４２０を受信すると、図５（ｄ）に示すように、その旨を示すメッセージ２０４を表示する。こうして、ユーザは、ＴＶ放送中のＣＭに関連するＣＭ連動データを含むＣＭ連動メール４２０を受信することができる。ＣＭ連動メール４２０は、その本文に、図３（ａ）に例示するようなタイトル、問い合わせ先ＵＲＬ及び電話番号などの情報を含んでいる。よって、ユーザはＣＭ連動メール４２０を開くことにより、そのＣＭに関連する情報を得ることができる。
【００４５】
このように、本実施形態のＣＭ連動放送システムでは、ＣＭ放送中に当該ＣＭに関連するＥＭが送信されると、ユーザの携帯端末にはその旨のメッセージ２０２（図５（ｂ）参照）が表示される。ユーザは、興味があるＣＭについてはＣＭ連動メールを要求することができるし、興味が無いＣＭについてはＣＭ連動メールを要求しない。ＣＭ連動メールを要求しなければ、当然ＣＭ連動メールはユーザの携帯端末へ送信されることは無く、ユーザは、自分が興味を持ったＣＭについてのみＣＭ連動データを得ることができる。よって、記憶部の容量などに制限がある携帯端末においても、ユーザは無駄なく必要な情報のみを取得することができる。
【００４６】
また、ＣＭ連動データはＣＭ連動メールとしてユーザの携帯端末２００へ送信される。よって、ユーザは直ちにＣＭ連動メールを開く必要はなく、後で時間ができたときにＣＭ連動メールを開いて情報を得ることができる。例えば、番組の放送中は番組の視聴を続け、番組が終わった後でゆっくりＣＭ連動メールを見ればよい。また、ＣＭ連動メールに有用な情報が含まれていれば、それを保存していつまでも利用することができるし、あまり有用な情報が含まれていなければ、そのＣＭ連動メールを削除してしまえば携帯端末の記憶容量に負担をかけることもない。
【００４７】
次に、上記のＣＭ連動放送システムによる処理の流れについて、時間を追って説明する。
【００４８】
最初に、図２及び図６を参照して、ＣＭ連動放送装置１００によって実行されるＣＭ連動ＴＶ放送処理について説明する。図６は、ＣＭ連動ＴＶ放送処理のフローチャートである。
【００４９】
まず、スイッチャー１１４は、本編データ記憶装置１１２内の本編データ１５２と、ＣＭ素材データ記憶装置１１０内のＣＭ素材データ１５０とを利用して素材データ１５４を作成し（ステップＳ１）、映像エンコーダ１１６は素材データ１５４をエンコードしてマルチプレクサ１１８へ供給する（ステップＳ２）。
【００５０】
ＣＭコード抽出装置１２０は、素材データ１５４からＣＭコード１５６を抽出する（ステップＳ３）。ＥＭ送出装置１２４は、ＣＭコード１５６に基づいて、ＣＭ連動データＤＢ１２２からＣＭ連動データ１６０を取得し（ステップＳ４）、ＥＭ１５８を作成してマルチプレクサ１１８へ供給する（ステップＳ５）。マルチプレクサ１１８は、エンコードされた素材データ１５４、ＥＭ１５８及びデータ放送コンテンツ１７０を多重化し、放送する（ステップＳ６）。
【００５１】
次に、携帯端末２００及びサーバ装置３００によるＣＭ連動メール送信処理について図１及び図７を参照して説明する。図７は、ＣＭ連動メール送信処理のフローチャートである。
【００５２】
携帯端末２００は、ＣＭ連動放送システム１００からＴＶ放送を受信する（ステップＳ１１）。携帯端末２００は、ＴＶ放送中のＣＭの期間にＥＭ１５８を受信し（ステップＳ１２）、ＥＭ１５８を受信したことを示すメッセージ２０２（図５（ｂ）参照））を表示する（ステップＳ１３）。
【００５３】
メッセージ２０２に対して、ユーザがＣＭ連動メールの要求を行うと（ステップＳ１４；Ｙｅｓ）、携帯端末２００はＣＭ連動メール要求４１０をサーバ装置３００へ送信する（ステップＳ１５）。なお、ユーザがＣＭ連動メールの要求を行わない場合（ステップＳ１４；Ｎｏ）、処理は終了する。
【００５４】
情報提供サーバのサーバ装置３００は、ＣＭ連動メール要求４１０を受信すると、それに含まれるユーザＩＤに対応する登録メールアドレスを登録ユーザＤＢ３１０から取得する。そして、その登録ユーザアドレスを宛先とし、ＣＭ連動メール要求４１０に含まれているＣＭ連動データを本文に挿入したＣＭ連動メール４２０を作成し（ステップＳ１６）、送信する（ステップＳ１７）。
【００５５】
携帯端末２００は、ＣＭ連動メール４２０を受信すると、その旨のメッセージ２０４（図５（ｄ）参照）を表示する（ステップＳ１８）。
【００５６】
以上のようにして、ユーザは、視聴中のＣＭに関連するＣＭ連動データをＣＭ連動メールの形態で取得することができる。
【００５７】
［第２実施形態］
次に、本発明の第２実施形態について説明する。第２実施形態によるＣＭ連動放送システムは、第１実施形態と同様に、ユーザの携帯端末２００向けにＴＶ放送を提供するものであり、全体構成は図１と同様である。但し、第２実施形態は、ＣＭ連動データの記憶場所が第１実施形態とは異なる。第１実施形態ではＣＭ連動データが放送局のＣＭ連動放送装置１００内のＣＭ連動データＤＢ１２２に記憶されている。これに対し、第２実施形態では、ＣＭ連動データは、情報提供サーバのサーバ装置３００内に記憶される。以下、第１実施形態と異なる部分についてのみ説明する。
【００５８】
図８は、第２実施形態によるＣＭ連動放送装置１００の構成を示す。図２に示す第１実施形態のＣＭ連動放送装置１００の構成と比較すると理解されるように、第２実施形態のＣＭ連動放送装置１００にはＣＭ連動データＤＢ１２２が含まれていない。ＥＭ送出装置１２４は、ＣＭコード抽出装置１２０が抽出したＣＭコード１５６を受信すると、そのＣＭコードを含むＥＭ１５８を作成してマルチプレクサ１１８へ供給する。即ち、第２実施形態では、ＥＭ１５８のデータ構造は、図３（ｂ）に示すデータ構造におけるＣＭ連動データの代わりに、ＣＭコードを含むものとなる。
【００５９】
ＣＭ連動放送装置１００側では、これ以外の点は第１実施形態と同様である。即ち、マルチプレクサ１１８は、素材データ１５４と、ＥＭ１５８と、データ放送コンテンツ１６０とを多重化し、放送する。
【００６０】
一方、情報提供サーバでは、前述のようにサーバ装置３００内にＣＭ連動データＤＢが設けられる。ＣＭ連動データＤＢの記憶内容は、第１実施形態におけるＣＭ連動データＤＢ１２２と同様であり、例えば図３（ａ）に示すものとなる。
【００６１】
ユーザは、携帯端末２００でＴＶ放送中にＥＭ１５８を受信し、ＣＭ連動メール要求４１０を行う。ここで、第２実施形態では、ＣＭ連動メール要求のデータ構造は図４（ｄ）に示すものとなる。即ち、携帯端末２００が受信するＥＭ１５８には、ＣＭ連動データの代わりにＣＭコードが含まれているので、携帯端末２００はＥＭ１５８中のＣＭコードにユーザＩＤを付加してＣＭ連動メール要求４１０を作成し、サーバ装置３００へ送信する。
【００６２】
サーバ装置３００は、登録ユーザＤＢ３１０を参照し、ＣＭ連動メール要求４１０中のユーザＩＤに対応する登録メールアドレスを取得する。さらに、サーバ装置３００は、図３（ａ）に例示する記憶内容を有するＣＭ連動データＤＢを参照し、ＣＭ連動メール要求４１０中のＣＭコードに対応するＣＭ連動データを取得する。そして、サーバ装置３００は、取得した登録メールアドレスを宛先とし、取得したＣＭ連動データを本文とするＣＭ連動メール４２０を作成して送信する。こうして、ユーザは携帯端末２００によって、ＣＭ連動メール４２０を受信することができる。
【００６３】
第２実施形態ではＴＶ放送に含まれるＥＭ１５８、及び、携帯端末２００からサーバ装置３００へ送信されるＣＭ連動メール要求４１０に含まれるデータが、ＣＭ連動データ自体ではなく、ＣＭコードとなっているので、通信されるデータ量が低減されるというメリットがある。また、ＣＭ連動データＤＢを、放送局側ではなく、情報提供サーバ側に設けるので、ＣＭ連動データの更新、管理などが容易になることが期待できる。
【００６４】
［第３実施形態］
第１及び第２実施形態では、ユーザ環境においてユーザはワンセグ携帯電話などの携帯端末２００を利用してＴＶ放送を受信している。第３実施形態は、ユーザがデジタルＴＶ放送受信機などを利用してＴＶ放送を受信する場合に本発明を適用した例を示す。
【００６５】
図９は、第３実施形態に係るＣＭ連動放送システムの構成を示す。図１と比較すると理解されるように、基本的に放送局のＣＭ連動放送装置１００及び情報提供サーバのサーバ装置３００は第１及び第２実施形態と同様である。
【００６６】
ユーザ環境には、デジタルＴＶ放送を受信するＴＶ受信機２５０（又はセットトップボックス（ＳＴＢ））が設けられ、ＴＶ受信機２５０がＴＶ放送を受信する。ＴＶ放送中にＥＭ１５８が含まれている場合、ＴＶ受信機２５０は表示画面上において、ＥＭを受信した旨のメッセージ（図５（ｂ）のメッセージ２０２に対応）を表示する。また、ＴＶ受信機２５０は、ユーザがＣＭ連動メールを要求したときにはその旨のメッセージ（図５（ｃ）のメッセージ２０３に対応）を表示し、ＣＭ連動メールを受信したときにはその旨のメッセージ（図５（ｄ）のメッセージ２０４に対応）を表示する。
【００６７】
ユーザは、サーバ装置３００の登録ユーザＤＢ３１０に、登録メールアドレスとしてＰＣや携帯電話などの端末装置２５５のメールアドレスを登録しておく。これにより、サーバ装置３００は、ユーザが登録したメールアドレスにＣＭ連動メール４２０を送信する。
【００６８】
第３実施形態は、上記以外の点では第１又は第２実施形態と同様である。従って、第３実施形態では、第１実施形態と同様にＣＭ連動データＤＢを放送局側に配置し、ＥＭにＣＭ連動データ自体を含めることとしてもよいし、第２実施形態と同様にＣＭ連動データＤＢを情報提供サーバ側に配置し、ＥＭにはＣＭコードのみを含めることとしてもよい。
【００６９】
［変形例］
上記の実施形態では、情報提供サーバ内の登録ユーザＤＢには、ユーザＩＤに対応付けて登録メールアドレスを記憶しているが、このユーザＩＤは、登録ユーザと、そのユーザの携帯端末やＴＶ受信機とを対応付けることができる情報の一例に過ぎない。よって、例えば、ユーザＩＤの代わりに携帯端末やＴＶ受信機などのＩＤなどを利用してもよい。また、ユーザ情報、携帯端末やＴＶ受信機の情報、その他の属性情報などを組み合わせて作成したＩＤを利用してもよい。本発明では、これらを含めて「ユニークＩＤ」と呼ぶ。
【００７０】
上記の実施形態では、携帯端末２００やＴＶ受信機２５０は、ＴＶ放送中にＥＭを受信した場合、図５（ｂ）に例示するように、まずその旨をメッセージなどによりユーザに告知し、ユーザが指示した場合に限り、ＣＭ連動メール要求をサーバ装置３００へ送信している。その代わりに、ＥＭを受信したら、全て自動的にＣＭ連動メール要求をサーバ装置３００へ送信するように携帯端末２００やＴＶ受信機２５０内のプログラムを構成してもよい。
【００７１】
［第４実施形態］
第１及び第２、第３実施形態、並びにその変形例では、ＴＶ放送データに多重して放送するＥＭ１５８にＣＭ連動データないしＣＭコードを含ませ、データ放送視聴機能が実装されたワンセグ携帯端末やデジタルＴＶ受信機に通知している。第４実施形態では、ユーザがデータ放送視聴をできない、あるいは、必要としない場合に本発明を適用した例を示す。
【００７２】
図１０は、第４実施形態に係るＣＭ連動放送装置の構成例を示す。図８と比較すると理解されるように、ＥＭ送出装置１２４に代わって、メッセージ通知装置１４０が設けられる。メッセージ通知装置１４０は、公開Ｗｅｂサイト１４１に対して、連動ＣＭデータ又はＣＭコードを含む通知メッセージ１５９を通知する。
【００７３】
図１１は、第４実施形態に係るＣＭ連動放送システムの構成例を示す。ユーザは端末装置２５５で、公開Ｗｅｂサイトを表示しておくことで、ＣＭ連動データないしＣＭコードを含む通知メッセージ１５９を受信することができる。一方でＴＶ受信機２５０で同時に視聴しているＣＭ内容から、ユーザは興味があるＣＭについては連動ＣＭメール要求４１０をサーバ装置３００に要求することになる。
【００７４】
上記以外の点は、第４実施形態は、第１乃至第３実施形態と同様である。
【図面の簡単な説明】
【００７５】
【図１】第１及び第２実施形態に係るＣＭ連動放送システムの概略構成図を示す。
【図２】ＣＭ連動放送装置の構成を示すブロック図を示す。
【図３】ＣＭ連動データＤＢ及びＥＭのデータ構造例を示す。
【図４】登録ユーザＤＢ、ＣＭ連動メール要求及びＣＭ連動メールのデータ構造例を示す。
【図５】ＴＶ放送受信中の表示画面例を示す。
【図６】ＣＭ連動ＴＶ放送処理のフローチャートである。
【図７】ＣＭ連動メール処理のフローチャートである。
【図８】第２実施形態に係るＣＭ連動放送装置の構成を示す。
【図９】第３実施形態に係るＣＭ連動放送システムの概略構成図を示す。
【図１０】第４実施形態に係るＣＭ連動放送装置の構成を示す。
【図１１】第４実施形態に係るＣＭ連動放送システムの概略構成図を示す。
【符号の説明】
【００７６】
１００  ＣＭ連動放送装置
１１０  ＣＭ素材データ記憶装置
１１２  本編データ記憶装置
１１８  マルチプレクサ
１２０  ＣＭコード抽出装置
１２２  ＣＭ連動データＤＢ
１２４  ＥＭ送出装置
１３０  データ放送装置
１４０  メッセージ通知装置
１４１  公開Ｗｅｂサイト
２００  携帯端末
２５０  ＴＶ受信機
２５５  端末装置
３００  サーバ装置
３１０  登録ユーザＤＢ
【図１】
0005291974.tif 000002
【図２】
0005291974.tif 000003
【図３】
0005291974.tif 000004
【図４】
0005291974.tif 000005
【図５】
0005291974.tif 000006
【図６】
0005291974.tif 000007
【図７】
0005291974.tif 000008
【図８】
0005291974.tif 000009
【図９】
0005291974.tif 000010
【図１０】
0005291974.tif 000011
【図１１】
0005291974.tif 000012